(57)【要約】【課題】カード収容部に誤った向きでカードが収容されていてもカードを発行することが可能となるカード発行装置の制御方法を提供する。【解決手段】発行前のカードが収容されるカード収容部と、カードに記録されたデータの読取りおよびカードへのデータの記録の少なくともいずれか一方を行うカードリーダとを備えるカード発行装置の制御方法は、カードの発行前にカードリーダにカードを取り込んでカードの向きを判別するための判別処理を実行するカード向き判別ステップＳ１〜Ｓ１２と、カード向き判別ステップＳ１〜Ｓ１２での判別処理の結果に基づいてカードの発行処理を実行するカード発行ステップとを備えている。【選択図】図７
2018142073.tif 000002
【特許請求の範囲】
【請求項１】
発行前のカードが収容されるカード収容部と、前記カードに記録されたデータの読取りおよび前記カードへのデータの記録の少なくともいずれか一方を行うカードリーダとを備えるカード発行装置の制御方法であって、
前記カードの発行前に前記カードリーダに前記カードを取り込んで前記カードの向きを判別するための判別処理を実行するカード向き判別ステップと、
前記カード向き判別ステップでの判別処理の結果に基づいて前記カードの発行処理を実行するカード発行ステップとを備えることを特徴とするカード発行装置の制御方法。
【請求項２】
前記カードは、磁気データが記録される磁気ストライプが形成された磁気カードであり、
前記カードリーダは、前記カードへの磁気データの記録と前記カードに記録された磁気データの読取りとを行う磁気ヘッドを備え、
前記カード向き判別ステップでは、前記カードに対する磁気データの記録と読取りとを前記カードリーダで行うとともに、磁気データの読取り結果に基づいて前記カードの向きを判別することを特徴とする請求項１記載のカード発行装置の制御方法。
【請求項３】
前記カード発行装置は、前記カードの表裏を反転させるカード反転機構を備え、
前記カード向き判別ステップは、前記カード収容部から送り出された前記カードを前記カードリーダに取り込んで前記カードに対する磁気データの記録と読取りを行う第１記録読取りステップと、前記第１記録読取りステップで磁気データの正常な読取りができなかった場合に、前記カードリーダから前記カードを排出して前記カード反転機構で前記カードの表裏を反転させるカード反転ステップと、前記カード反転ステップ後に前記カードを前記カードリーダに取り込んで前記カードに対する磁気データの記録と読取りを行う第２記録読取りステップとを備えることを特徴とする請求項２記載のカード発行装置の制御方法。
【請求項４】
前記カード発行装置は、前記カードリーダとして、第１カードリーダと第２カードリーダとを備え、
前記第１カードリーダで搬送される前記カードの搬送方向と、前記第２カードリーダで搬送される前記カードの搬送方向とが平行になっており、
前記カードの搬送方向と搬送される前記カードの厚さ方向とに直交する方向を前記カードの幅方向とすると、
前記第１カードリーダおよび前記第２カードリーダには、発行される前記カードが前記カードの搬送方向の一方側から取り込まれ、
前記第１カードリーダの前記磁気ヘッドは、前記カードの幅方向の一方側に配置され、
前記第２カードリーダの前記磁気ヘッドは、前記カードの幅方向の他方側に配置され、
前記第１記録読取りステップおよび前記第２記録読取りステップでは、前記第１カードリーダに前記カードが取り込まれ、
前記カード向き判別ステップは、前記第２記録読取りステップで磁気データの正常な読取りができなかった場合に、前記第１カードリーダから排出された前記カードを前記第２カードリーダに取り込んで前記カードに対する磁気データの記録と読取りを行う第３記録読取りステップを備えることを特徴とする請求項３記載のカード発行装置の制御方法。
【請求項５】
前記カード向き判別ステップは、前記第３記録読取りステップの前に前記第１カードリーダから前記カードを排出して前記カード反転機構で前記カードの表裏を反転させる第２カード反転ステップを備え、
前記第２記録読取りステップで磁気データの正常な読取りができなかった場合に、前記第２カード反転ステップを実行し、前記第２カード反転ステップ後に前記第３記録読取りステップを実行することを特徴とする請求項４記載のカード発行装置の制御方法。
【請求項６】
前記カード向き判別ステップは、前記第３記録読取りステップで磁気データの正常な読取りができなかった場合に、前記第２カードリーダから前記カードを排出して前記カード反転機構で前記カードの表裏を反転させる第３カード反転ステップと、前記第３カード反転ステップ後に前記カードを前記第２カードリーダに取り込んで前記カードに対する磁気データの記録と読取りを行う第４記録読取りステップとを備えることを特徴とする請求項４または５記載のカード発行装置の制御方法。
【請求項７】
前記カード発行装置は、前記カードリーダとして、第１カードリーダと第２カードリーダとを備え、
前記第１カードリーダで搬送される前記カードの搬送方向と、前記第２カードリーダで搬送される前記カードの搬送方向とが平行になっており、
前記カードの搬送方向と搬送される前記カードの厚さ方向とに直交する方向を前記カードの幅方向とすると、
前記第１カードリーダおよび前記第２カードリーダには、発行される前記カードが前記カードの搬送方向の一方側から取り込まれ、
前記第１カードリーダの前記磁気ヘッドは、前記カードの幅方向の一方側に配置され、
前記第２カードリーダの前記磁気ヘッドは、前記カードの幅方向の他方側に配置され、
前記カード向き判別ステップは、前記カード収容部から送り出された前記カードを前記第１カードリーダに取り込んで前記カードに対する磁気データの記録と読取りを行う第５記録読取りステップと、前記第５記録読取りステップで磁気データの正常な読取りができなかった場合に、前記カードを前記第１カードリーダから排出するとともに前記第２カードリーダに取り込んで前記カードに対する磁気データの記録と読取りを行う第６記録読取りステップとを備えることを特徴とする請求項２記載のカード発行装置の制御方法。
【請求項８】
前記カード発行装置は、前記カードの表裏を反転させるカード反転機構を備え、
前記カード向き判別ステップは、前記第６記録読取りステップで磁気データの正常な読取りができなかった場合に、前記第２カードリーダから前記カードを排出して前記カード反転機構で前記カードの表裏を反転させる第４カード反転ステップと、前記第４カード反転ステップ後に前記カードを前記第１カードリーダまたは前記第２カードリーダに取り込んで前記カードに対する磁気データの記録と読取りを行う第７記録読取りステップとを備えることを特徴とする請求項７記載のカード発行装置の制御方法。
【請求項９】
前記カード発行装置は、前記カードに画像を印刷するプリンタを備え、
前記カード発行ステップは、前記プリンタで前記カードに画像を印刷する印刷ステップを備え、
前記印刷ステップでは、前記カード向き判別ステップでの判別処理の結果に基づいて、前記カードに印刷される画像の向きが決定されることを特徴とする請求項４から８のいずれかに記載のカード発行装置の制御方法。
【請求項１０】
前記カードは、ＩＣチップが内蔵されるとともに前記ＩＣチップの外部接続端子が形成されたＩＣカードであり、
前記カードリーダは、前記外部接続端子に接触する複数のＩＣ接点バネを有するＩＣ接点ブロックを備え、
前記カード向き判別ステップでは、前記カードの活性化処理を前記カードリーダで行うとともに、活性化処理の結果に基づいて前記カードの向きを判別することを特徴とする請求項１記載のカード発行装置の制御方法。
【請求項１１】
前記カードは、磁気データが記録される磁気ストライプが形成された磁気カードであるとともに、ＩＣチップが内蔵されかつ前記ＩＣチップの外部接続端子が形成されたＩＣカードであり、
前記カードリーダは、前記カードへの磁気データの記録と前記カードに記録された磁気データの読取りとを行う磁気ヘッドと、前記外部接続端子に接触する複数のＩＣ接点バネを有するＩＣ接点ブロックとを備え、
前記カード向き判別ステップでは、前記カードに対する磁気データの記録および読取りと前記カードの活性化処理とを前記カードリーダで行うとともに、磁気データの読取り結果および活性化処理の結果に基づいて前記カードの向きを判別することを特徴とする請求項１記載のカード発行装置の制御方法。
【請求項１２】
前記カードリーダは、前記カードの画像を取得するスキャナを備え、
前記カード向き判別ステップでは、前記カードの画像を前記カードリーダで取得するとともに、取得した画像に基づいて前記カードの向きを判別することを特徴とする請求項１記載のカード発行装置の制御方法。
【請求項１３】
発行前のカードが収容されるカード収容部と、前記カードに記録されたデータの読取りおよび前記カードへのデータの記録の少なくともいずれか一方を行うカードリーダとを備え、
前記カードの発行前に前記カードリーダに前記カードを取り込んで前記カードの向きを判別するための判別処理を実行し、判別処理の結果に基づいて前記カードの発行処理を実行することを特徴とするカード発行装置。
【発明の詳細な説明】
【技術分野】
【０００１】
本発明は、カードを発行するカード発行装置の制御方法に関する。また、本発明は、カードを発行するカード発行装置に関する。
【背景技術】
【０００２】
従来、カードを発行するカード発行装置が知られている（たとえば、特許文献１参照）。特許文献１に記載のカード発行装置は、カードに記録されたデータの読取りやカードへのデータの記録を行う２台のカードリーダと、カードへの印字を行うプリンタと、カードにラベルを貼り付けるラベル貼付機と、発行前のカードが収容される５個のカード収容部と、発行されるカードを取り出すためのカード取出部と、不要になったカードが回収されるカード回収部と、これらの構成の間でカードを搬送するためのカード搬送機構とを備えている。このカード発行装置では、カード収容部から搬出されたカードにカードリーダでデータが記録されたり、プリンタで印字が行われたりした後に、カード取出部までカードが搬送されて、カードが発行される。
【０００３】
特許文献１に記載のカード発行装置では、２台のカードリーダは、隣り合うように配置されており、２台のカードリーダのうちの一方のカードリーダで搬送されるカードの搬送方向と、他方のカードリーダで搬送されるカードの搬送方向とが平行になっている。また、２台のカードリーダのうちの一方のカードリーダでは、カードリーダ内で搬送されるカードの幅方向の一方側に磁気ヘッドが配置され、他方のカードリーダでは、カードリーダ内で搬送されるカードの幅方向の他方側に磁気ヘッドが配置されている。
【０００４】
また、特許文献１に記載のカード発行装置で使用されるカードには、磁気データが記録される磁気ストライプが形成されている。具体的には、図３に示すように、カード２の裏面２ａに磁気ストライプ２ｂが形成され、カード２のおもて面２ｃに２本の磁気ストライプ２ｄ、２ｅが形成されている。特許文献１に記載のカード発行装置では、２台のカードリーダのうちの一方のカードリーダの磁気ヘッドによって、磁気ストライプ２ｂ、２ｄへの磁気データの記録や磁気ストライプ２ｂ、２ｄに記録された磁気データの読取りが行われ、他方のカードリーダの磁気ヘッドによって、磁気ストライプ２ｅへの磁気データの記録や磁気ストライプ２ｅに記録された磁気データの読取りが行われている。
【先行技術文献】
【特許文献】
【０００５】
【特許文献１】特開２０１５−１７６５９３号公報
【発明の概要】
【発明が解決しようとする課題】
【０００６】
特許文献１に記載のカード発行装置では、作業員のミス等によってカード収容部に誤った向きでカードが収容される場合が生じうる。たとえば、カード収容部に収容されるカードの正しい向きに対して、カードの前後の向きが反対になった状態でカード収容部にカードが収容される場合が生じうる。特許文献１に記載のカード発行装置は、カード収容部に正しい向きでカードが収容されていることを前提として、カードの発行処理を行う。そのため、このカード発行装置において、誤った向きでカード収容部に収容されているカードの発行動作が行われると、カードの発行処理中に、たとえば、カードリーダでのデータの記録エラー等の異常が発生する。
【０００７】
特許文献１に記載のカード発行装置では、カードリーダでのデータの記録エラー等の異常がカードの発行処理中に発生すると、たとえば、異常が発生したカードはカード回収部に廃棄され、その後、カードの発行処理が異常終了するか、あるいは、新たなカードを使用したカードの再発行処理が行われる。すなわち、このカード発行装置では、誤った向きでカード収容部に収容されたカードを発行することはできない。
【０００８】
そこで、本発明の課題は、カード収容部に誤った向きでカードが収容されていてもカードを発行することが可能となるカード発行装置の制御方法を提供することにある。また、本発明の課題は、カード収容部に誤った向きでカードが収容されていてもカードを発行することが可能なカード発行装置を提供することにある。
【課題を解決するための手段】
【０００９】
上記の課題を解決するため、本発明のカード発行装置の制御方法は、発行前のカードが収容されるカード収容部と、カードに記録されたデータの読取りおよびカードへのデータの記録の少なくともいずれか一方を行うカードリーダとを備えるカード発行装置の制御方法であって、カードの発行前にカードリーダにカードを取り込んでカードの向きを判別するための判別処理を実行するカード向き判別ステップと、カード向き判別ステップでの判別処理の結果に基づいてカードの発行処理を実行するカード発行ステップとを備えることを特徴とする。
【００１０】
本発明のカード発行装置の制御方法では、カード向き判別ステップにおいて、カードの発行前にカードリーダにカードを取り込んでカードの向きを判別するための判別処理を実行し、カード向き判別ステップ後のカード発行ステップにおいて、カード向き判別ステップでの判別処理の結果に基づいてカードの発行処理を実行している。そのため、本発明では、カード収容部に収容されたカードの向きに応じたカードの適切な発行処理を行うことが可能になる。したがって、本発明では、カード収容部に誤った向きでカードが収容されていてもカードを発行することが可能になる。
【００１１】
本発明において、たとえば、カードは、磁気データが記録される磁気ストライプが形成された磁気カードであり、カードリーダは、カードへの磁気データの記録とカードに記録された磁気データの読取りとを行う磁気ヘッドを備え、カード向き判別ステップでは、カードに対する磁気データの記録と読取りとをカードリーダで行うとともに、磁気データの読取り結果に基づいてカードの向きを判別する。
【００１２】
本発明において、カード発行装置は、カードの表裏を反転させるカード反転機構を備え、カード向き判別ステップは、カード収容部から送り出されたカードをカードリーダに取り込んでカードに対する磁気データの記録と読取りを行う第１記録読取りステップと、第１記録読取りステップで磁気データの正常な読取りができなかった場合に、カードリーダからカードを排出してカード反転機構でカードの表裏を反転させるカード反転ステップと、カード反転ステップ後にカードをカードリーダに取り込んでカードに対する磁気データの記録と読取りを行う第２記録読取りステップとを備えることが好ましい。このように構成すると、カードの表裏の向きを判別することが可能になる。したがって、カードの表裏の向きが誤った状態でカード収容部にカードが収容されていても、適切なカードの発行処理を行ってカードを発行することが可能になる。
【００１３】
また、この場合には、カード発行装置は、カードリーダとして、第１カードリーダと第２カードリーダとを備え、第１カードリーダで搬送されるカードの搬送方向と、第２カードリーダで搬送されるカードの搬送方向とが平行になっており、カードの搬送方向と搬送されるカードの厚さ方向とに直交する方向をカードの幅方向とすると、第１カードリーダおよび第２カードリーダには、発行されるカードがカードの搬送方向の一方側から取り込まれ、第１カードリーダの磁気ヘッドは、カードの幅方向の一方側に配置され、第２カードリーダの磁気ヘッドは、カードの幅方向の他方側に配置され、第１記録読取りステップおよび第２記録読取りステップでは、第１カードリーダにカードが取り込まれ、カード向き判別ステップは、第２記録読取りステップで磁気データの正常な読取りができなかった場合に、第１カードリーダから排出されたカードを第２カードリーダに取り込んでカードに対する磁気データの記録と読取りを行う第３記録読取りステップを備えることが好ましい。
【００１４】
このように構成すると、カードの前後の向きも判別することが可能になる。すなわち、このように構成すると、カードの表裏の向きおよびカードの前後の向きを判別することが可能になる。したがって、カードの表裏の向きが誤った状態でカード収容部にカードが収容されていても、また、カードの前後の向きが誤った状態でカード収容部にカードが収容されていても、適切なカードの発行処理を行ってカードを発行することが可能になる。
【００１５】
本発明において、カード向き判別ステップは、たとえば、第３記録読取りステップの前に第１カードリーダからカードを排出してカード反転機構でカードの表裏を反転させる第２カード反転ステップを備え、第２記録読取りステップで磁気データの正常な読取りができなかった場合に、第２カード反転ステップを実行し、第２カード反転ステップ後に第３記録読取りステップを実行する。
【００１６】
本発明において、カード向き判別ステップは、第３記録読取りステップで磁気データの正常な読取りができなかった場合に、第２カードリーダからカードを排出してカード反転機構でカードの表裏を反転させる第３カード反転ステップと、第３カード反転ステップ後にカードを第２カードリーダに取り込んでカードに対する磁気データの記録と読取りを行う第４記録読取りステップとを備えることが好ましい。このように構成すると、カード収容部から送り出されたカードに何らかの異常があれば、第４記録読取りステップにおいても磁気データの正常な読取りができない。したがって、第４記録読取りステップでの磁気データの読取り結果に基づいて、カード収容部から送り出されたカードに何らかの異常があるのか否かを判別することが可能になる。
【００１７】
本発明において、カード発行装置は、カードリーダとして、第１カードリーダと第２カードリーダとを備え、第１カードリーダで搬送されるカードの搬送方向と、第２カードリーダで搬送されるカードの搬送方向とが平行になっており、カードの搬送方向と搬送されるカードの厚さ方向とに直交する方向をカードの幅方向とすると、第１カードリーダおよび第２カードリーダには、発行されるカードがカードの搬送方向の一方側から取り込まれ、第１カードリーダの磁気ヘッドは、カードの幅方向の一方側に配置され、第２カードリーダの磁気ヘッドは、カードの幅方向の他方側に配置され、カード向き判別ステップは、カード収容部から送り出されたカードを第１カードリーダに取り込んでカードに対する磁気データの記録と読取りを行う第５記録読取りステップと、第５記録読取りステップで磁気データの正常な読取りができなかった場合に、カードを第１カードリーダから排出するとともに第２カードリーダに取り込んでカードに対する磁気データの記録と読取りを行う第６記録読取りステップとを備えていても良い。この場合には、カードの前後の向きを判別することが可能になる。したがって、カードの前後の向きが誤った状態でカード収容部にカードが収容されていても、適切なカードの発行処理を行ってカードを発行することが可能になる。
【００１８】
また、この場合には、カード発行装置は、カードの表裏を反転させるカード反転機構を備え、カード向き判別ステップは、第６記録読取りステップで磁気データの正常な読取りができなかった場合に、第２カードリーダからカードを排出してカード反転機構でカードの表裏を反転させる第４カード反転ステップと、第４カード反転ステップ後にカードを第１カードリーダまたは第２カードリーダに取り込んでカードに対する磁気データの記録と読取りを行う第７記録読取りステップとを備えることが好ましい。
【００１９】
このように構成すると、カードの表裏の向きも判別することが可能になる。すなわち、このように構成すると、カードの前後の向きおよびカードの表裏の向きを判別することが可能になる。したがって、カードの前後の向きが誤った状態でカード収容部にカードが収容されていても、また、カードの表裏の向きが誤った状態でカード収容部にカードが収容されていても、適切なカードの発行処理を行ってカードを発行することが可能になる。
【００２０】
本発明において、カード発行装置は、カードに画像を印刷するプリンタを備え、カード発行ステップは、プリンタでカードに画像を印刷する印刷ステップを備え、印刷ステップでは、カード向き判別ステップでの判別処理の結果に基づいて、カードに印刷される画像の向きが決定されることが好ましい。このように構成すると、カードの前後の向きが誤った状態でカード収容部にカードが収容されていても、共通のプリンタを用いてカードに適切な画像を印刷することが可能になる。
【００２１】
本発明において、カードは、ＩＣチップが内蔵されるとともにＩＣチップの外部接続端子が形成されたＩＣカードであり、カードリーダは、外部接続端子に接触する複数のＩＣ接点バネを有するＩＣ接点ブロックを備え、カード向き判別ステップでは、カードの活性化処理をカードリーダで行うとともに、活性化処理の結果に基づいてカードの向きを判別しても良い。
【００２２】
また、本発明において、カードは、磁気データが記録される磁気ストライプが形成された磁気カードであるとともに、ＩＣチップが内蔵されかつＩＣチップの外部接続端子が形成されたＩＣカードであり、カードリーダは、カードへの磁気データの記録とカードに記録された磁気データの読取りとを行う磁気ヘッドと、外部接続端子に接触する複数のＩＣ接点バネを有するＩＣ接点ブロックとを備え、カード向き判別ステップでは、カードに対する磁気データの記録および読取りとカードの活性化処理とをカードリーダで行うとともに、磁気データの読取り結果および活性化処理の結果に基づいてカードの向きを判別しても良い。
【００２３】
さらに、本発明において、カードリーダは、カードの画像を取得するスキャナを備え、カード向き判別ステップでは、カードの画像をカードリーダで取得するとともに、取得した画像に基づいてカードの向きを判別しても良い。この場合には、カードの画像を１回取得するだけでカードの向きを判別することが可能になる。
【００２４】
また、上記の課題を解決するため、本発明のカード発行装置は、発行前のカードが収容されるカード収容部と、カードに記録されたデータの読取りおよびカードへのデータの記録の少なくともいずれか一方を行うカードリーダとを備え、カードの発行前にカードリーダにカードを取り込んでカードの向きを判別するための判別処理を実行し、判別処理の結果に基づいてカードの発行処理を実行することを特徴とする。
【００２５】
本発明のカード発行装置は、カードの発行前にカードリーダにカードを取り込んでカードの向きを判別するための判別処理を実行し、判別処理の結果に基づいてカードの発行処理を実行している。そのため、本発明では、カード収容部に収容されたカードの向きに応じたカードの適切な発行処理を行うことが可能になる。したがって、本発明では、カード収容部に誤った向きでカードが収容されていてもカードを発行することが可能になる。
【発明の効果】
【００２６】
以上のように、本発明では、カード収容部に誤った向きでカードが収容されていてもカードを発行することが可能になる。
【図面の簡単な説明】
【００２７】
【図１】本発明の実施の形態にかかるカード発行装置の斜視図である。
【図２】図１に示すカード発行装置の１階部分の構成を説明するための図である。
【図３】図１に示すカード発行装置で発行されるカードを説明するための図である。
【図４】図１に示すカード発行装置で発行可能なカードを説明するための図である。
【図５】図１に示すカード発行装置で発行可能なカードの一覧表である。
【図６】図１に示すカード反転機構の斜視図である。
【図７】図１に示すカード発行装置の動作の一部を説明するためのフローチャートである。
【図８】図１に示すカード収容部に収容されるカードの向きを説明するための図である。
【発明を実施するための形態】
【００２８】
以下、図面を参照しながら、本発明の実施の形態を説明する。
【００２９】
（カード発行装置の構成）
図１は、本発明の実施の形態にかかるカード発行装置１の斜視図である。図２は、図１に示すカード発行装置１の１階部分の構成を説明するための図である。図３は、図１に示すカード発行装置１で発行されるカード２を説明するための図である。図４は、図１に示すカード発行装置１で発行可能なカード２を説明するための図である。図５は、図１に示すカード発行装置１で発行可能なカード２の一覧表である。図６は、図１に示すカード搬送機構１０の斜視図である。
【００３０】
本形態のカード発行装置１は、カード２に記録されたデータの読取りやカード２へのデータの記録を行う２台のカードリーダ３、４と、カード２に画像を印刷するプリンタ５と、カード２にラベル（シール）を貼り付けるラベル貼付機（ラベラー）６と、発行前のカード２が収容される５個のカード収容部７と、発行されるカード２を取り出すためのカード取出部８と、不要となったカード２が回収されるカード回収部９と、これらの構成の間でカード２を搬送するためのカード搬送機構１０とを備えている。なお、カード発行装置１は、ラベラー６を備えていなくても良い。
【００３１】
以下の説明では、互いに直交する３方向のそれぞれをＸ方向、Ｙ方向およびＺ方向とする。本形態では、Ｚ方向が鉛直方向と一致しているため、Ｚ方向を上下方向とする。また、Ｘ方向を左右方向とし、Ｙ方向を前後方向とするとともに、左右方向のうちのＸ１方向側を「右」側とし、その反対側であるＸ２方向側を「左」側とし、前後方向のうちのＹ１方向側「前」側とし、その反対側であるＹ２方向側を「後ろ」側とし、上下方向のうちのＺ１方向側を「上」側とし、その反対側であるＺ２方向側を「下」側とする。
【００３２】
カードリーダ３、４、プリンタ５およびラベラー６は、カード発行装置１の前端側に配置されている。カード収容部７、カード取出部８およびカード回収部９は、カード発行装置１の後端側に配置されている。カード搬送機構１０は、前後方向におけるカード発行装置１の中間位置に配置されており、前後方向において、カードリーダ３、４、プリンタ５およびラベラー６と、５個のカード収容部７、カード取出部８およびカード回収部９との間に配置されている。
【００３３】
２台のカードリーダ３、４は、左右方向で隣り合うように配置されている。プリンタ５とラベラー６とは、左右方向で隣り合うように配置されている。また、プリンタ５およびラベラー６は、カードリーダ３、４の上側に配置されている。５個のカード収容部７のうちの３個のカード収容部７は、左右方向で隣り合うように配置されている。カード取出部８とカード回収部９とは上下方向で重なるように配置されており、残りの２個のカード収容部７と、カード取出部８およびカード回収部９とは、左右方向で隣接するように配置されている。この２個のカード収容部７、カード取出部８およびカード回収部９は、左右方向で隣接配置される３個のカード収容部７の上側に配置されている。
【００３４】
すなわち、本形態のカード発行装置１は、いわゆる２階建て構造となっており、カードリーダ３、４と、３個のカード収容部７とによってカード発行装置１の１階部分が構成されている（図２参照）。また、プリンタ５と、ラベラー６と、２個のカード収容部７と、カード取出部８と、カード回収部９とによってカード発行装置１の２階部分が構成されている。なお、カード発行装置１は、１階建て構造となっていても良い。
【００３５】
カード２は、厚さが０．７〜０．８ｍｍ程度の略長方形状の塩化ビニール製のカードである。図３に示すように、カード２の裏面２ａには、磁気データが記録される磁気ストライプ２ｂが形成されている。カード２のおもて面２ｃには、磁気データが記録される磁気ストライプ２ｄが形成されている。磁気ストライプ２ｂ、２ｄは、ＪＩＳ規格「ＪＩＳＸ６３０２−２」で規定される磁気ストライプであり、カード２の厚さ方向から見たときに、磁気ストライプ２ｂと磁気ストライプ２ｄとは重なっている。
【００３６】
また、カード２のおもて面２ｃには、磁気データが記録される磁気ストライプ２ｅが形成されている。磁気ストライプ２ｅは、磁気ストライプ２ｄと平行に形成されている。磁気ストライプ２ｅの幅（カード２の短手方向の幅）は、磁気ストライプ２ｄの幅（カード２の短手方向の幅）と等しくなっている。略長方形状に形成されるカード２の短手方向の一端面２ｆと磁気ストライプ２ｄとの距離と、カード２の短手方向の他端面２ｇと磁気ストライプ２ｅとの距離とは等しくなっている。また、カード２には、ＩＣチップ（図示省略）が内蔵されている。カード２のおもて面２ｃには、ＩＣチップの外部接続端子２ｈが形成されている。
【００３７】
このように、本形態のカード発行装置１で発行されるカード２は、磁気データが記録される磁気ストライプ２ｂ、２ｄ、２ｅが形成された磁気カードである。また、カード発行装置１で発行されるカード２は、ＩＣチップが内蔵されるとともに外部接続端子２ｈが形成された接触式のＩＣカードでもある。
【００３８】
なお、カード発行装置１では、図４に示すように、カード２の裏面２ａに、磁気データが記録される磁気ストライプ２ｋが形成されたカード２を発行することも可能になっている。磁気ストライプ２ｋは、磁気ストライプ２ｂと平行に形成されている。磁気ストライプ２ｋの幅（カード２の短手方向の幅）は、磁気ストライプ２ｂの幅（カード２の短手方向の幅）と等しくなっている。また、カード２の短手方向の一端面２ｆと磁気ストライプ２ｂとの距離と、カード２の短手方向の他端面２ｇと磁気ストライプ２ｋとの距離とは等しくなっている。
【００３９】
また、カード発行装置１では、磁気ストライプ２ｂ、２ｄ、２ｅ、２ｋが形成されていないカード２を発行することも可能となっている。さらに、カード発行装置１では、磁気ストライプ２ｂ、２ｄ、２ｅ、２ｋの中から任意に選択される１個、２個または３個の磁気ストライプが形成されたカード２を発行することも可能となっている。カード発行装置１で発行可能なカード２をまとめると図５の一覧表のようになる。すなわち、カード発行装置１では、図５のＮｏ．１〜Ｎｏ．１６の１６種類のカード２を発行することが可能となっている。
【００４０】
図５において、「ＪＩＳ２−１」は、磁気ストライプ２ｄに相当し、「ＩＳＯ−１」は、磁気ストライプ２ｂに相当し、「ＪＩＳ２−２」は、磁気ストライプ２ｅに相当し、「ＩＳＯ−２」は、磁気ストライプ２ｋに相当する。また、図５において、「〇」印の付された磁気ストライプがカード２に形成され、「×」印の付された磁気ストライプはカード２に形成されていない。本形態のカード発行装置１で発行されるカード２は、図５の一覧表の中のＮｏ．８のカード２である。
【００４１】
カードリーダ３、４の内部には、カード２が搬送されるカード搬送路が形成されている。カードリーダ３、４は、カード２への磁気データの記録とカード２に記録された磁気データの読取りとを行う磁気ヘッド１３を備えている。本形態のカードリーダ３、４は、上下方向で対向するように配置される２個の磁気ヘッド１３を備えている。２個の磁気ヘッド１３のうちの一方の磁気ヘッド１３は、上側からカード搬送路に臨むように配置され、他方の磁気ヘッド１３は、下側からカード搬送路に臨むように配置されている。２個の磁気ヘッド１３は、左右方向において、カード２の磁気ストライプ２ｂ、２ｄまたは磁気ストライプ２ｅが通過する位置に配置されている。また、カードリーダ３、４は、カード２の外部接続端子２ｈに接触する複数のＩＣ接点バネ（図示省略）を有するＩＣ接点ブロック１４を備えている。本形態のカードリーダ３は、第１カードリーダであり、カードリーダ４は、第２カードリーダである。
【００４２】
また、カードリーダ３、４は、カード２の搬送機構を備えている。カードリーダ３、４では、カード２は、前後方向に搬送される。すなわち、カードリーダ３で搬送されるカード２の搬送方向と、カードリーダ４で搬送されるカード２の搬送方向とは平行になっている。本形態では、発行されるカード２は、カードリーダ３、４の後ろ側からカードリーダ３、４に取り込まれ、カードリーダ３、４から後ろ側へ排出される。また、カードリーダ３、４では、カード２は、カード２の長手方向と前後方向とが一致し、かつ、カード２の短手方向と左右方向とが一致した状態で搬送される。本形態の前後方向（Ｙ方向）は、カード２の搬送方向であり、上下方向（Ｚ方向）は、搬送されるカード２の厚さ方向である。また、左右方向（Ｘ方向）は、カード２の幅方向（短手幅方向）である。
【００４３】
カードリーダ３とカードリーダ４とは、同様に構成されている。すなわち、カードリーダ３とカードリーダ４とは同一の構成部品が同様に配置されることで構成されている。同様に構成されるカードリーダ３とカードリーダ４とは、前後方向における向きが互いに逆向きとなるように配置されている。すなわち、上下方向から見たときに、カードリーダ３の中心とカードリーダ４の中心とを結ぶ仮想線の中点に対して、カードリーダ３とカードリーダ４とは、点対称に配置されている。
【００４４】
そのため、図２に示すように、カードリーダ３では、２個の磁気ヘッド１３は、カードリーダ３の左後端側に配置され、カードリーダ４では、２個の磁気ヘッド１３は、カードリーダ４の右前端側に配置されている。すなわち、カードリーダ３の磁気ヘッド１３は、カード２の幅方向である左右方向の一方側に配置され、カードリーダ４の磁気ヘッド１３は、左右方向の他方側に配置されている。また、カードリーダ３では、ＩＣ接点ブロック１４は、カードリーダ３の前端側に配置され、カードリーダ４では、ＩＣ接点ブロック１４は、カードリーダ４の後端側に配置されている。
【００４５】
本形態では、通常、カードリーダ３の２個の磁気ヘッド１３によって、磁気ストライプ２ｂ、２ｄに記録された磁気データの読取りや磁気ストライプ２ｂ、２ｄへの磁気データの記録が行われ、カードリーダ４の２個の磁気ヘッド１３のうちの１個の磁気ヘッド１３によって、磁気ストライプ２ｅに記録された磁気データの読取や磁気ストライプ２ｅへの磁気データの記録が行われる。また、通常、カードリーダ３のＩＣ接点ブロック１４を用いて、カードリーダ３とカード２との間でデータの通信が行われる。
【００４６】
ただし、後述のように、カード収容部７に収容されるカード２の向きによっては、カードリーダ４の２個の磁気ヘッド１３によって、磁気ストライプ２ｂ、２ｄに記録された磁気データの読取りや磁気ストライプ２ｂ、２ｄへの磁気データの記録が行われ、カードリーダ３の２個の磁気ヘッド１３のうちの１個の磁気ヘッド１３によって、磁気ストライプ２ｅに記録された磁気データの読取や磁気ストライプ２ｅへの磁気データの記録が行われることもある。また、カード収容部７に収容されるカード２の向きによっては、カードリーダ４のＩＣ接点ブロック１４を用いて、カードリーダ４とカード２との間でデータの通信が行われることもある。
【００４７】
プリンタ５の内部には、カード搬送路が形成されている。また、プリンタ５は、カード２の搬送機構を備えている。プリンタ５では、カード２は、前後方向に搬送される。本形態では、発行されるカード２は、プリンタ５の後ろ側からプリンタ５に取り込まれ、プリンタ５から後ろ側へ排出される。また、プリンタ５では、カード２の長手方向と前後方向とが一致し、かつ、カード２の短手方向と左右方向とが一致した状態でカード２が搬送される。
【００４８】
ラベラー６の内部には、カード搬送路が形成されている。ラベラー６は、カード２の搬送機構を備えている。ラベラー６では、カード２は、前後方向に搬送される。本形態では、発行されるカード２は、ラベラー６の後ろ側からラベラー６に取り込まれ、ラベラー６から後ろ側へ排出される。また、ラベラー６では、カード２の長手方向と前後方向とが一致し、かつ、カード２の短手方向と左右方向とが一致した状態でカード２が搬送される。
【００４９】
カード取出部８およびカード回収部９は、上面が開口する箱状に形成されている。カード収容部７は、発行前の複数のカード２が積層されて収容される収容箱と、収容箱の下側に配置されるカード２の送出機構とを備えている。収容箱は、その上端および後端側が開口する箱状に形成されている。収容箱には、カード２の長手方向と前後方向とが一致し、かつ、カード２の短手方向と左右方向とが一致するようにカード２が収容されている。送出機構は、たとえば、収容箱の中の一番下のカード２の後端に当接してカード２を送り出す送出爪と、この送出爪の駆動機構とを備えており、収容箱に収容されたカード２を前側に向かって１枚ずつ送り出す。収容箱の前側面の下端側には、送出機構で送り出されるカード２が通過する送出孔が形成されている。
【００５０】
カード搬送機構１０は、カード２を内部に一時的に保持する２個のカード保持部１５、１６と、カード保持部１５、１６が搭載されるキャリッジ１７と、左右方向へキャリッジ１７を直線移動させるキャリッジ移動機構１８と、左右方向へキャリッジ１７を案内する２本のガイド軸１９、２０と、ガイド軸１９、２０の両端側のそれぞれを支持する支持フレーム２１と、キャリッジ１７に対してカード保持部１５、１６を回動させる回動機構２４とを備えている。
【００５１】
カード保持部１５とカード保持部１６とは、上下方向で重なるように配置されている。カード保持部１５、１６は、キャリッジ１７に回動可能に保持されている。具体的には、カード保持部１５、１６は、左右方向を回動の軸方向とする回動が可能となるようにキャリッジ１７に保持されている。カード保持部１５、１６は、カード２の引込と送出を行う引込送出機構２２を備えている。カード保持部１５、１６の内部には、引込送出機構２２によって引き込まれるまたは送り出されるカード２が搬送されるカード搬送路２７が直線状に形成されている。
【００５２】
引込送出機構２２は、駆動ローラ２５と、駆動ローラ２５に対向配置されるパッドローラ２６と、駆動ローラ２５を回転させるモータと、このモータの動力を駆動ローラ２５に伝達する動力伝達機構とを備えている。引込送出機構２２は、カード２の引込方向および送出方向とカード２の長手方向とが一致するように、カード搬送路２７へカード２を引き込んだり、カード搬送路２７からカード２を送り出したりする。また、カード搬送路２７に引き込まれたカード２の短手方向は、左右方向と一致している。
【００５３】
ガイド軸１９、２０は、ガイド軸１９、２０の軸方向と左右方向とが一致するように支持フレーム２１に固定されている。キャリッジ１７は、左右方向へのスライドが可能となるようにガイド軸１９、２０に支持されている。キャリッジ移動機構１８は、駆動源となるモータと、モータの動力をキャリッジ１７に伝達する動力伝達機構とを備えている。キャリッジ移動機構１８のモータが回転すると、キャリッジ１７は、ガイド軸１９、２０に案内されて左右方向へ移動する。
【００５４】
回動機構２４は、駆動源となるモータと、モータの動力をカード保持部１５、１６に伝達する動力伝達機構とを備えている。回動機構２４のモータが回転すると、カード保持部１５とカード保持部１６とは同方向へ一緒に回動する。また、カード保持部１５、１６は、左右方向を回動の軸方向として回動する。本形態のカード保持部１５、１６は、カード保持部１５のカード搬送路２７が水平方向と平行になり、かつ、カード保持部１６のカード搬送路２７が水平方向と平行になっている状態からカード保持部１５、１６のカード搬送路２７が上下反転する状態まで、左右方向を回動の軸方向として１８０°回動可能となっている。
【００５５】
そのため、本形態では、カード保持部１５、１６の中で保持されたカード２の表裏を反転させることが可能となっている。具体的には、カード保持部１５、１６の中で保持されたカード２をカード２の短手方向を回動の軸方向にして回動させて、カード２の表裏を反転させることが可能となっている。本形態のカード搬送機構１０は、カード２の表裏を反転させるカード反転機構である。また、本形態では、カード保持部１５、１６の回動範囲の中間位置までカード保持部１５、１６が回動すると（すなわち、カード搬送路２７が水平方向と平行になっている状態からカード保持部１５、１６が９０°回動すると）、上下方向において、カード保持部１５とカード保持部１６との間で直接、カード２の受渡しが可能になる。
【００５６】
また、本形態では、カード搬送路２７が水平方向と平行になっている状態では、上下方向において、カードリーダ３、４のカード搬送路の高さとカード保持部１６のカード搬送路２７の高さとが一致しており、プリンタ５のカード搬送路の高さとラベラー６のカード搬送路の高さとカード保持部１５のカード搬送路２７の高さとが一致している。そのため、カード搬送路２７が水平方向と平行になっている状態では、カードリーダ３、４とカード保持部１６との間でのカード２の搬送、および、プリンタ５およびラベラー６のそれぞれとカード保持部１５との間でのカード２の搬送が可能になる。
【００５７】
また、カード搬送路２７が水平方向と平行になっている状態では、上下方向において、カード保持部１５のカード搬送路２７の高さと上側に配置される２個のカード収容部７のカード２の送出孔の高さとが一致しており、カード保持部１６のカード搬送路２７の高さと下側に配置される３個のカード収容部７のカード２の送出孔の高さとが一致している。そのため、カード搬送路２７が水平方向と平行になっている状態では、カード収容部７から送り出されるカード２のカード保持部１５、１６への引込みが可能になる。なお、カード搬送路２７が水平方向と平行になっている状態では、カード保持部１５のカード搬送路２７は、カード取出部８の底面よりもわずかに上側に配置されている。
【００５８】
カード収容部７にカード２が正しい向きで収容されているときには、カード２のおもて面２ｃが上側を向くとともに、カード２の長手方向の一端面２ｐが前側に配置され、カード２の長手方向の他端面２ｒが後ろ側に配置されている（図８（Ａ）参照）。本形態では、正しい向きでカード収容部７に収容されたカード２がそのままの向きでカードリーダ３、４に取り込まれると、カードリーダ３において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ４において、磁気ヘッド１３による磁気ストライプ２ｅへの磁気データの正常な記録と磁気ストライプ２ｅに記録された磁気データの正常な読取りとが可能になる。
【００５９】
すなわち、カード２のおもて面２ｃが上側を向くとともにカード２の長手方向の一端面２ｐが前側に配置されているカード２がカードリーダ３、４に取り込まれると、カードリーダ３において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ４において、磁気ヘッド１３による磁気ストライプ２ｅへの磁気データの正常な記録と磁気ストライプ２ｅに記録された磁気データの正常な読取りが可能になる。また、カード２のおもて面２ｃが上側を向くとともにカード２の長手方向の一端面２ｐが前側に配置されているカード２がカードリーダ３に取り込まれると、カードリーダ３において、ＩＣ接点ブロック１４を用いたカードリーダ３とカード２との正常なデータの通信が可能になる。
【００６０】
ただし、カード２のおもて面２ｃが上側を向くとともにカード２の長手方向の他端面２ｒが前側に配置されているカード２（図８（Ｃ）参照）がカードリーダ３、４に取り込まれても、カードリーダ４において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ３において、磁気ヘッド１３による磁気ストライプ２ｅへの磁気データの正常な記録と磁気ストライプ２ｅに記録された磁気データの正常な読取りとが可能になる。また、カード２のおもて面２ｃが上側を向くとともにカード２の長手方向の他端面２ｒが前側に配置されているカード２がカードリーダ４に取り込まれても、カードリーダ４において、ＩＣ接点ブロック１４を用いたカードリーダ４とカード２との正常なデータの通信が可能になる。
【００６１】
（カード発行装置の動作）
図７は、図１に示すカード発行装置１の動作の一部を説明するためのフローチャートである。図８は、図１に示すカード収容部７に収容されるカード２の向きを説明するための図である。なお、図８では、外部接続端子２ｈの図示を省略している。
【００６２】
カード発行装置１が接続されるパーソナルコンピュータ等の上位装置からカード発行装置１にカード２の発行指令が入力されると、カード発行装置１は、カード２の発行前にカードリーダ３、４にカード２を取り込んでカード２の向きを判別するための判別処理を実行し、判別処理の結果に基づいてカード２の発行処理を実行する。具体的には、図７に示すように、カード発行装置１にカード２の発行指令が入力されると、カード発行装置１は、まず、カード収容部７から送り出されたカード２を第１カードリーダであるカードリーダ３に取り込んでカード２に対する磁気データの記録と読取りとを行う（ステップＳ１）。
【００６３】
ステップＳ１では、カード収容部７から送り出されたカード２をカード搬送機構１０がカードリーダ３まで搬送し、カードリーダ３は、搬送されたカード２を取り込む。カードリーダ３に取り込まれるカード２の向きは、カード収容部７に収容されているときのカード２の向きと一致している。また、ステップＳ１では、カードリーダ３は、カード２を搬送しながら、カードリーダ３の２個の磁気ヘッド１３によって、カード２に対する磁気データの記録と読取りとを行う。具体的には、カードリーダ３は、２個の磁気ヘッド１３によって、カード２に対する磁気データの記録を行った後、磁気データの読取りを行う。その後、カード発行装置１は、ステップＳ１において２個の磁気ヘッド１３で磁気データの正常な読取りができたのか否かを判断する（ステップＳ２）。
【００６４】
上述のように、正しい向きでカード収容部７に収容されたカード２がそのままの向きでカードリーダ３に取り込まれると、カードリーダ３において、２個の磁気ヘッド１３によるカード２への磁気データの正常な記録とカード２に記録された磁気データの正常な読取りとが可能になる。そのため、カード収容部７から送り出されたカード２がカード収容部７に正しい向きで収容されているとき（図８（Ａ）に示す向きでカード２がカード収容部７に収容されているとき）には、ステップＳ１において、磁気ストライプ２ｂ、２ｄに適切な磁気データを記録することができ、その結果、磁気データの正常な読取りができる。
【００６５】
また、上述のように、正しい向きでカード収容部７に収容されたカード２がそのままの向きでカードリーダ３、４に取り込まれると、カードリーダ３において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ４において、磁気ヘッド１３による磁気ストライプ２ｅへの磁気データの正常な記録と磁気ストライプ２ｅに記録された磁気データの正常な読取りとが可能になるとともに、カードリーダ３において、ＩＣ接点ブロック１４を用いたカードリーダ３とカード２との正常なデータの通信が可能になる。
【００６６】
そこで、ステップＳ２において、２個の磁気ヘッド１３で磁気データの正常な読取りができていると判断されると（すなわち、ステップＳ２で“Ｙｅｓ”の場合には）、カード発行装置１は、ステップＳ１でカード２に記録された磁気データを消去した後、カード２の発行処理を開始する。
【００６７】
一方、カード収容部７から送り出されたカード２が、図８（Ｂ）に示すように、カード収容部７に収容されるカード２の正しい向きに対して、カード２の表裏と前後の向きが反対になっている状態（カード２の表裏の向きが反対になるとともにカード２の他端面２ｒが前側に配置された状態）でカード収容部７に収容されている場合、および、カード収容部７から送り出されたカード２が、図８（Ｄ）に示すように、カード収容部７に収容されるカード２の正しい向きに対して、カード２の表裏と左右の向きが反対になっている状態（カード２の表裏の向きが反対になるとともにカード２の一端面２ｐが前側に配置された状態）でカード収容部７に収容されている場合には、ステップＳ１において、カードリーダ３の２個の磁気ヘッド１３の両方で磁気データの適切な記録ができず、その結果、磁気データの正常な読取りができない。
【００６８】
また、カード収容部７から送り出されたカード２が、図８（Ｃ）に示すように、カード収容部７に収容されるカード２の正しい向きに対して、カード２の前後と左右の向きが反対になる状態でカード収容部７に収容されている場合には、ステップＳ１において、カードリーダ３の２個の磁気ヘッド１３のうちの一方の磁気ヘッド１３では磁気データの適切な記録ができず、その結果、磁気データの正常な読取りができない。
【００６９】
すなわち、カード収容部７から送り出されたカード２が、図８（Ｂ）〜（Ｄ）のいずれかに示す向きでカード収容部７に収容されているとき（すなわち、カード２が正しい向きでカード収容部７に収容されていないとき）には、ステップＳ１において、少なくとも１個の磁気ヘッド１３で磁気データの正常な読取りができない。
【００７０】
そのため、ステップＳ２において、少なくとも１個の磁気ヘッド１３で磁気データの正常な読取りができていないと判断されると（すなわち、ステップＳ２で“Ｎｏ”の場合には）、カード発行装置１は、カードリーダ３からカード２を排出してカード搬送機構１０でカード２の表裏を反転させる（ステップＳ３）。具体的には、カード発行装置１は、ステップＳ３において、カード２の短手方向を回動の軸方向にしてカード２を回動させて、カード２の表裏を反転させる。
【００７１】
その後、カード発行装置１は、表裏を反転させたカード２を再びカードリーダ３に取り込んでカード２に対する磁気データの記録と読取りとを行う（ステップＳ４）。ステップＳ４では、カードリーダ３は、カード２を搬送しながら、カードリーダ３の２個の磁気ヘッド１３によって、カード２に対する磁気データの記録を行った後、磁気データの読取りを行う。その後、カード発行装置１は、ステップＳ４において２個の磁気ヘッド１３で磁気データの正常な読取りができたのか否かを判断する（ステップＳ５）。
【００７２】
カード収容部７から送り出されたカード２が、図８（Ｂ）に示す向きでカード収容部７に収容されているときには、ステップＳ４において、カード２は、図８（Ａ）に示す向きでカードリーダ３に取り込まれる。また、図８（Ａ）に示す向きでカード２がカードリーダ３、４に取り込まれると、カードリーダ３において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ４において、磁気ヘッド１３による磁気ストライプ２ｅへの磁気データの正常な記録と磁気ストライプ２ｅに記録された磁気データの正常な読取りとが可能になるとともに、カードリーダ３において、ＩＣ接点ブロック１４を用いたカードリーダ３とカード２との正常なデータの通信が可能になる。
【００７３】
そこで、ステップＳ５において、２個の磁気ヘッド１３で磁気データの正常な読取りができていると判断されると（すなわち、ステップＳ５で“Ｙｅｓ”の場合には）、カード発行装置１は、ステップＳ５でカード２に記録された磁気データを消去した後、カード２の発行処理を開始する。
【００７４】
一方、ステップＳ５において、少なくとも１個の磁気ヘッド１３で磁気データの正常な読取りができていないと判断されると（すなわち、ステップＳ５で“Ｎｏ”の場合には）、カード発行装置１は、カードリーダ３からカード２を排出してカード搬送機構１０でカード２の表裏を反転させる（ステップＳ６）。具体的には、カード発行装置１は、ステップＳ６において、カード２の短手方向を回動の軸方向にしてカード２を回動させて、カード２の表裏を反転させる。
【００７５】
その後、カード発行装置１は、表裏を反転させたカード２を第２カードリーダであるカードリーダ４に取り込んでカード２に対する磁気データの記録と読取りとを行う（ステップＳ７）。ステップＳ７では、カード搬送機構１０がカードリーダ４まで搬送し、カードリーダ４は、搬送されたカード２を取り込む。また、ステップＳ７では、カードリーダ４は、カード２を搬送しながら、カードリーダ４の２個の磁気ヘッド１３によって、カード２に対する磁気データの記録を行った後、磁気データの読取りを行う。
【００７６】
その後、カード発行装置１は、ステップＳ７において２個の磁気ヘッド１３で磁気データの正常な読取りができたのか否かを判断する（ステップＳ８）。カード収容部７から送り出されたカード２が、図８（Ｃ）に示す向きでカード収容部７に収容されているときには、ステップＳ７において、カード２は、図８（Ｃ）に示す向きでカードリーダ４に取り込まれる。また、カード２が図８（Ｃ）に示す向きでカードリーダ４に取り込まれると、上述のように、カードリーダ４において、２個の磁気ヘッド１３による磁気ストライプ２ｂ、２ｄへの磁気データの正常な記録と磁気ストライプ２ｂ、２ｄに記録された磁気データの正常な読取りとが可能になるため、ステップＳ７において、２個の磁気ヘッド１３で磁気ストライプ２ｂ、２ｄに磁気データを適切に記録することができ、その結果、磁気データの正常な読取りができる。
【００７７】
また、上述のように、カード２が図８（Ｃ）に示す向きでカードリーダ４に取り込まれると、カードリーダ４において、２個の磁気ヘッド１３による磁気ストライプ２ｂ、２ｄへの磁気データの正常な記録と磁気ストライプ２ｂ、２ｄに記録された磁気データの正常な読取りとが可能になり、カードリーダ３において、磁気ヘッド１３による磁気ストライプ２ｅへの磁気データの正常な記録と磁気ストライプ２ｅに記録された磁気データの正常な読取りが可能になるとともに、カードリーダ４において、ＩＣ接点ブロック１４を用いたカードリーダ４とカード２との正常なデータの通信が可能になる。
【００７８】
そこで、ステップＳ８において、２個の磁気ヘッド１３で磁気データの正常な読取りができていると判断されると（すなわち、ステップＳ８で“Ｙｅｓ”の場合には）、カード発行装置１は、現在、判別処理が行われているカード２の前後と左右の向きが、カード収容部７に収容されるカード２の正しい向きに対して反対であることを記憶し（ステップＳ９）、かつ、ステップＳ７でカード２に記録された磁気データを消去した後、カード２の発行処理を開始する。
【００７９】
一方、ステップＳ８において、少なくとも１個の磁気ヘッド１３で磁気データの正常な読取りができていないと判断されると（すなわち、ステップＳ８で“Ｎｏ”の場合には）、カード発行装置１は、カードリーダ４からカード２を排出してカード搬送機構１０でカード２の表裏を反転させる（ステップＳ１０）。具体的には、カード発行装置１は、ステップＳ１０において、カード２の短手方向を回動の軸方向にしてカード２を回動させて、カード２の表裏を反転させる。
【００８０】
その後、カード発行装置１は、表裏を反転させたカード２を再びカードリーダ４に取り込んでカード２に対する磁気データの記録と読取りとを行う（ステップＳ１１）。ステップＳ１１では、カードリーダ４は、カード２を搬送しながら、カードリーダ４の２個の磁気ヘッド１３によって、カード２に対する磁気データの記録を行った後、磁気データの読取りを行う。その後、カード発行装置１は、ステップＳ１１において２個の磁気ヘッド１３で磁気データの正常な読取りができたのか否かを判断する（ステップＳ１２）。
【００８１】
カード収容部７から送り出されたカード２が、図８（Ｄ）に示す向きでカード収容部７に収容されているときには、ステップＳ１１において、カード２は、図８（Ｃ）に示す向きでカードリーダ３に取り込まれる。そのため、ステップＳ１２において、２個の磁気ヘッド１３で磁気データの正常な読取りができていると判断されると（すなわち、ステップＳ１２で“Ｙｅｓ”の場合には）、ステップＳ９に進んで、カード発行装置１は、現在、判別処理が行われているカード２の前後と左右の向きが、カード収容部７に収容されるカード２の正しい向きに対して反対であることを記憶し、かつ、ステップＳ１１でカード２に記録された磁気データを消去した後、カード２の発行処理を開始する。
【００８２】
一方、ステップＳ１２において、少なくとも１個の磁気ヘッド１３で磁気データの正常な読取りができていないと判断されると（すなわち、ステップＳ１２で“Ｎｏ”の場合には）、カード発行装置１は、カード収容部７から送り出されたカード２に何らかの異常があると判断して、カード異常処理を実行する。たとえば、カード発行装置１は異常停止する。あるいは、カード発行装置１は、このカード２をカード回収部９に回収し、カード収容部７から新たなカード２を送り出して、ステップＳ１に戻る。
【００８３】
ステップＳ２で“Ｙｅｓ”となった場合、および、ステップＳ５で“Ｙｅｓ”となった場合のカード２の発行処理では、カード２はそのままの向きで、まず、カードリーダ３に取り込まれる。カードリーダ３は、磁気ストライプ２ｂ、２ｄへの磁気データの記録と記録された磁気データを確認するための磁気データの読取りとを行う。また、カードリーダ３は、ＩＣ接点ブロック１４を用いて、カード２とデータの通信を行う。その後、カード２は、カードリーダ３から排出されるとともに、カード搬送機構１０に搬送された後、カードリーダ４にそのままの向きで取り込まれる。カードリーダ４は、磁気ストライプ２ｅへの磁気データの記録と記録された磁気データを確認するための磁気データの読取りとを行う。
【００８４】
一方、ステップＳ８で“Ｙｅｓ”となった場合、および、ステップＳ１２で“Ｙｅｓ”となった場合のカード２の発行処理（すなわち、ステップＳ９を経た後のカード２の発行処理）では、カード２はそのままの向きで、まず、カードリーダ４に取り込まれる。カードリーダ４は、磁気ストライプ２ｂ、２ｄへの磁気データの記録と記録された磁気データを確認するための磁気データの読取りとを行う。また、カードリーダ４は、ＩＣ接点ブロック１４を用いて、カード２とデータの通信を行う。その後、カード２は、カードリーダ４から排出されるとともに、カード搬送機構１０に搬送された後、カードリーダ３にそのままの向きで取り込まれる。カードリーダ３は、磁気ストライプ２ｅへの磁気データの記録と記録された磁気データを確認するための磁気データの読取りとを行う。
【００８５】
なお、ステップＳ２で“Ｙｅｓ”となった場合、および、ステップＳ５で“Ｙｅｓ”となった場合のカード２の発行処理において、カード２がカードリーダ４に取り込まれて処理された後にカードリーダ３に取り込まれて処理されても良い。また、ステップＳ８で“Ｙｅｓ”となった場合、および、ステップＳ１２で“Ｙｅｓ”となった場合のカード２の発行処理において、カード２がカードリーダ３に取り込まれて処理された後にカードリーダ４に取り込まれて処理されても良い。
【００８６】
また、カード２の発行処理において、磁気ストライプ２ｂ、２ｄへの磁気データの記録が行われなくても良いし、磁気ストライプ２ｅへの磁気データの記録が行われなくても良い。また、カード２の発行処理において、カードリーダ３またはカードリーダ４とカード２との間で、ＩＣ接点ブロック１４を用いたデータの通信が行われなくても良い。
【００８７】
カードリーダ３、４での処理が終了したカード２は、カード搬送機構１０に搬送された後、プリンタ５に取り込まれる。プリンタ５は、カード２に画像を印刷する。カード２に画像を印刷する際、プリンタ５は、プリンタ５に取り込まれるカード２の向きに応じてカード２に印刷される画像の向きを決定する。具体的には、カード２のおもて面２ｃが上側を向くとともにカード２の長手方向の一端面２ｐが前側に配置されているカード２がプリンタ５に取り込まれる場合（ステップＳ２で“Ｙｅｓ”となった場合、および、ステップＳ５で“Ｙｅｓ”となった場合）には、プリンタ５は、正規の向きの画像をカード２に印刷する。一方、カード２のおもて面２ｃが上側を向くとともにカード２の長手方向の他端面２ｒが前側に配置されているカード２がプリンタ５に取り込まれる場合（ステップＳ８で“Ｙｅｓ”となった場合、および、ステップＳ１２で“Ｙｅｓ”となった場合）には、プリンタ５は、正規の向きから１８０°回転させた画像をカード２に印刷する。
【００８８】
その後、カード２は、プリンタ５から排出されるとともに、カード搬送機構１０に搬送された後、ラベラー６に取り込まれる。ラベラー６は、カード２にラベルを貼り付ける。その後、カード２は、ラベラー６から排出されるとともに、カード搬送機構１０によってカード取出部８に搬送される。また、カード取出部８にカード２が排出されると、カード２の発行処理が完了する。なお、カード２の発行処理において、カード２に画像が印刷されなくても良いし、カード２にラベルが貼り付けられなくても良い。
【００８９】
本形態のステップＳ１は、カード収容部７から送り出されたカード２をカードリーダ３に取り込んでカード２に対する磁気データの記録と読取りとを行う第１記録ステップであり、ステップＳ３は、ステップＳ１で磁気データの正常な読取りができなかった場合に、カードリーダ３からカード２を排出してカード２の表裏を反転させるカード反転ステップであり、ステップＳ４は、ステップＳ３の後にカード２をカードリーダ３に取り込んでカード２に対する磁気データの記録と読取りを行う第２記録読取りステップである。
【００９０】
また、ステップＳ７は、ステップＳ４で磁気データの正常な読取りができなかった場合に、カードリーダ３から排出されたカード２をカードリーダ４に取り込んでカード２に対する磁気データの記録と読取りを行う第３記録読取りステップであり、ステップＳ６は、ステップＳ７の前に、カードリーダ３からカード２を排出してカード２の表裏を反転させる第２カード反転ステップである。さらに、ステップＳ１０は、ステップＳ７で磁気データの正常な読取りができなかった場合に、カードリーダ４からカード２を排出してカード２の表裏を反転させる第３カード反転ステップであり、ステップＳ１１は、ステップＳ１０の後にカード２をカードリーダ４に取り込んでカード２に対する磁気データの記録と読取りを行う第４記録読取りステップである。
【００９１】
また、本形態のステップＳ１〜Ｓ１２は、カード２の発行前にカードリーダ３、４にカード２を取り込んでカード２の向きを判別するための判別処理を実行するカード向き判別ステップとなっている。カード向き判別ステップでは、カード２に対する磁気データの記録と読取りとをカードリーダ３、４で行うとともに、磁気データの読取り結果に基づいて、カード２の向きを判別している。具体的には、カード向き判別ステップにおいて、カード収容部７に収容されるカード２の向きが図８（Ａ）〜（Ｄ）に示すいずれの向きであるのかを判別している。
【００９２】
また、本形態では、カード２の発行処理が実行されるステップが、カード向き判別ステップでの判別処理の結果に基づいてカード２の発行処理を実行するカード発行ステップとなっている。このように、本形態のカード発行装置１の制御方法には、カード向き判別ステップとカード発行ステップとが含まれている。また、カード発行ステップの中の、プリンタ５がカード２に画像を印刷するステップは、印刷ステップとなっており、印刷ステップでは、カード向き判別ステップでの判別処理の結果に基づいて、カード２に印刷される画像の向きが決定されている。
【００９３】
（本形態の主な効果）
以上説明したように、本形態では、カード２の発行前にカードリーダ３、４にカード２を取り込んでカード２の向きを判別するための判別処理を実行し、判別処理の結果に基づいてカード２の発行処理を実行している。そのため、本形態では、カード収容部７に収容されたカード２の向きに応じたカード２の適切な発行処理を行うことが可能になる。したがって、本形態では、カード収容部７に誤った向きでカード２が収容されていてもカード２を発行することが可能になる。
【００９４】
本形態では、ステップＳ１において、カード収容部７から送り出されたカード２をカードリーダ３に取り込んでカード２に対する磁気データの記録と読取りとを行い、ステップＳ１で磁気データの正常な読取りができなかった場合に、ステップＳ４において、表裏を反転させたカード２をカードリーダ３に取り込んでカード２に対する磁気データの記録と読取りとを行っている。そのため、本形態では、カード２の表裏の向きを判別することが可能になる。したがって、本形態では、カード２の表裏の向きが誤った状態でカード収容部７にカード２が収容されていても、カード２に磁気データ等の記録を適切に行ってカード２を発行することが可能になる。
【００９５】
また、本形態では、カードリーダ３の２個の磁気ヘッド１３がカードリーダ３の左後端側に配置されるとともに、カードリーダ４の２個の磁気ヘッド１３がカードリーダ４の右前端側に配置されており、ステップＳ４で磁気データの正常な読取りができなかった場合に、ステップＳ７において、カードリーダ４にカード２を取り込んでカード２に対する磁気データの記録と読取りとを行っている。そのため、本形態では、カード２の前後の向きを判別することが可能になる。したがって、本形態では、カード２の前後の向きが誤った状態でカード収容部７にカード２が収容されていても、カード２に磁気データ等の記録を適切に行ってカード２を発行することが可能になる。
【００９６】
すなわち、本形態では、カード収容部７に収容されるカード２の正しい向きに対して、カード２の前後と表裏の向きが反対になった状態でカード収容部７にカード２が収容されていても、また、カード収容部７に収容されるカード２の正しい向きに対して、カード２の前後と左右の向きが反対になった状態でカード収容部７にカード２が収容されていても、さらに、カード収容部７に収容されるカード２の正しい向きに対して、カード２の左右と表裏の向きが反対になった状態でカード収容部７にカード２が収容されていても、カード２に磁気データ等の記録を適切に行ってカード２を発行することが可能になる。
【００９７】
本形態では、ステップＳ７で磁気データの正常な読取りができなかった場合に、ステップＳ１１において、表裏を反転させたカード２をカードリーダ４に取り込んでカード２に対する磁気データの記録と読取りとを行っており、カード収容部７から送り出されたカード２に何らかの異常があれば、ステップＳ１１においても磁気データの正常な読取りができない。そのため、本形態では、ステップＳ１１での磁気データの読取り結果に基づいて、カード収容部７から送り出されたカード２に何らかの異常があるのか否かを判別することが可能になる。たとえば、カード収容部７から送り出されたカード２が、発行されるべきカード２と異なる種類のカード２であるのか否かを判別することが可能になる。あるいは、カード収容部７から送り出されたカード２に損傷が発生しているのか否かを判別することが可能になる。
【００９８】
本形態では、プリンタ５は、プリンタ５に取り込まれるカード２の向きに応じてカード２に印刷される画像の向きを決定して、カード２に画像を印刷している。そのため、本形態では、カード２の前後の向きが誤った状態でカード収容部７にカード２が収容されていても、共通のプリンタ５を用いてカード２に適切な画像を印刷することが可能になる。
【００９９】
（カードの変形例）
上述した形態では、カード発行装置１で発行されるカード２は、図５の一覧表の中のＮｏ．８のカード２であるが、図５の一覧表の中のその他のカード２がカード発行装置１で発行されても良い。図５の一覧表の中の「グループ１」にグループ分けされるカード２（Ｎｏ．２〜４、Ｎｏ．７、Ｎｏ．１０、Ｎｏ．１２、Ｎｏ．１４、Ｎｏ．１５のカード２）のいずれかをカード発行装置１が発行する場合、カード発行装置１は、たとえば、カード２の発行前に、上述した形態と同一のカード向き判別ステップＳ１〜Ｓ１２を実行して、カード２の向きを判別する。ただし、カード２の種類によっては、ステップＳ１等において、カード発行装置１は、１個の磁気ヘッド１３によって、カード２に対する磁気データの記録と読取りとを行う。
【０１００】
また、図５の一覧表の中の「グループ２」にグループ分けされるカード２（Ｎｏ．５、Ｎｏ．９、Ｎｏ．１３のカード２）のいずれかをカード発行装置１が発行する場合、カード発行装置１は、たとえば、カード２の発行前に、上述した形態とほぼ同様のカード向き判別ステップＳ１〜Ｓ１２を実行して、カード２の向きを判別する。ただし、この場合には、カード発行装置１は、たとえば、ステップＳ１、Ｓ４においてカードリーダ４に取り込んでカード２に対する磁気データの記録と読取りとを行い、ステップＳ７、Ｓ１１においてカードリーダ３に取り込んでカード２に対する磁気データの記録と読取りとを行う。この場合のカードリーダ３は第２カードリーダであり、カードリーダ４は第１カードリーダである。また、この場合、カード２の種類によっては、ステップＳ１等において、カード発行装置１は、１個の磁気ヘッド１３によって、カード２に対する磁気データの記録と読取りとを行う。
【０１０１】
また、図５の一覧表の中の「グループ３」にグループ分けされるカード２（Ｎｏ．６、Ｎｏ．１１、Ｎｏ．１６のカード２）のいずれかをカード発行装置１が発行する場合、カード２の表裏の向きを判別することは可能であるが、カード２の前後の向きを判別することはできない。そのため、この場合には、カード発行装置１は、たとえば、カード２の発行前に、ステップＳ１〜Ｓ５からなるカード向き判別ステップを実行して、カード２の向きを判別する。この場合、ステップＳ５で“Ｎｏ”の場合、カード発行装置１は、カード異常処理を実行する。また、この場合、カード２の種類によっては、ステップＳ１等において、カード発行装置１は、１個の磁気ヘッド１３によって、カード２に対する磁気データの記録と読取りとを行う。
【０１０２】
なお、図５の一覧表の中の「グループ０」にグループ分けされるカード２（Ｎｏ．１のカード２）をカード発行装置１が発行する場合、カード２の表裏の向き、および、カード２の前後の向きを判別することはできないため、この場合には、カード発行装置１は、カード向き判別ステップを実行せずに、カード２の発行処理を開始する。
【０１０３】
また、５個のカード収容部７の中に種類の異なるカード２（図５の一覧表の中の異なるＮｏ．のカード２）が収容されるカード収容部７があっても良い。すなわち、カード発行装置１は、図５の一覧表の中の異なるＮｏ．の複数種類のカード２を発行しても良い。この場合には、各カード収容部７には、同じ種類のカード２が収容されている。また、この場合には、上位装置からのカード２の発行指令に、発行されるカード２のＮｏ．が含まれており、カード発行装置１は、カード２の発行指令に含まれるカード２のＮｏ．に応じたカード収容部７からカード２を送り出し、カード２の発行指令に含まれるカード２のＮｏ．に応じたカード向き判別ステップを実行する。
【０１０４】
（他の実施の形態）
上述した形態は、本発明の好適な形態の一例ではあるが、これに限定されるものではなく本発明の要旨を変更しない範囲において種々変形実施が可能である。
【０１０５】
上述した形態において、ステップＳ１で磁気データの正常な読取りができなかった場合（すなわち、ステップＳ２で“Ｎｏ”の場合）に、カード発行装置１は、カード２をカードリーダ３から排出するとともにカードリーダ４に取り込んでカード２に対する磁気データの記録と読取りを行う第６記録読取りステップを実行しても良い。この場合には、カード２の前後の向きを判別することが可能になる。したがって、カード２の前後の向きが誤った状態でカード収容部７にカード２が収容されていても、カード２に磁気データ等の記録を適切に行ってカード２を発行することが可能になる。
【０１０６】
また、第６記録読取りステップで磁気データの正常な読取りができなかった場合に、カード発行装置１は、カードリーダ４からカード２を排出してカード搬送機構１０でカード２の表裏を反転させる第４カード反転ステップと、第４カード反転ステップ後にカード２をカードリーダ３またはカードリーダ４に取り込んでカード２に対する磁気データの記録と読取りを行う第７記録読取りステップとを実行しても良い。この場合には、カード２の表裏の向きも判別することが可能になる。
【０１０７】
したがって、上述した形態と同様に、カード収容部７に収容されるカード２の正しい向きに対して、カード２の前後と表裏の向きが反対になった状態でカード収容部７にカード２が収容されていても、また、カード収容部７に収容されるカード２の正しい向きに対して、カード２の前後と左右の向きが反対になった状態でカード収容部７にカード２が収容されていても、さらに、カード収容部７に収容されるカード２の正しい向きに対して、カード２の左右と表裏の向きが反対になった状態でカード収容部７にカード２が収容されていても、カード２に磁気データ等の記録を適切に行ってカード２を発行することが可能になる。
【０１０８】
上述した形態では、カード向き判別ステップにおいて、カード２に対する磁気データの記録と読取りとをカードリーダ３、４で行うとともに、磁気データの読取り結果に基づいて、カード２の向きを判別しているが、カード向き判別ステップにおいて、カード２の活性化処理をカードリーダ１で行うとともに、活性化処理の結果に基づいてカード２の向きを判別しても良い。
【０１０９】
すなわち、上述のステップＳ１、Ｓ４において、カード発行装置１は、カードリーダ３に取り込まれたカード２にＩＣ接点を接触させてカード２の活性化処理を行い、ステップＳ７、Ｓ１１において、カードリーダ４に取り込まれたカード２にＩＣ接点を接触させてカード２の活性化処理を行うとともに、ステップＳ２、Ｓ５、Ｓ８、Ｓ１２において、カード２が活性化されたのか否かを判断しても良い。この場合には、カード２に磁気ストライプ２ｂ、２ｄ、２ｅが形成されていなくても良い。すなわち、カード２は、磁気カードでなくても良い。
【０１１０】
また、カード発行装置１は、カード向き判別ステップにおいて、カード２に対する磁気データの記録および読取りとカード２の活性化処理とをカードリーダ３、４で行うとともに、磁気データの読取り結果および活性化処理の結果に基づいてカード２の向きを判別しても良い。すなわち、カード発行装置１は、カード向き判別ステップにおいて、磁気データの読取り結果と活性化処理の結果との組合せに基づいてカード２の向きを判別しても良い。
【０１１１】
また、たとえば、カードリーダ３が、カード２の画像を取得するスキャナ３０（図２の二点鎖線参照）を備えている場合には、カード向き判別ステップにおいて、カード発行装置１は、カード２の画像をカードリーダ３で取得するとともに、取得した画像に基づいてカード２の向きを判別しても良い。この場合には、カード２の画像を１回取得するだけでカード２の向きを判別することが可能になる。この場合には、カード２は、磁気カードでなくても良く、また、ＩＣカードでなくても良い。
【０１１２】
上述した形態では、ステップＳ２、Ｓ５、Ｓ８、Ｓ１２において、カード発行装置１は、磁気データを正常に読み取れた場合に、カード２の向きの判別を終了させて、カード２の発行処理に進んでいるが、カード発行装置１は、磁気データを正常に読み取れなかった場合に、磁気データの読取り状況に応じて、カード２の向きの判別を終了させて、カード２の発行処理に進んでも良い。
【０１１３】
たとえば、ステップＳ１において、カードリーダ３の２個の磁気ヘッド１３のうちの一方の磁気ヘッド１３で磁気データの正常な読取りができなかったが、他方の磁気ヘッド１３で磁気データの正常な読取りができた場合には、図８（Ｃ）に示す状態でカード２がカード収容部７に収容されていると想定されるため、この場合には、ステップＳ９へ進んでも良い。また、たとえば、ステップＳ８で“Ｎｏ”の場合には、図８（Ｄ）に示す状態でカード２がカード収容部７に収容されていると想定されるため、この場合には、ステップＳ１０を実行してからステップＳ９へ進んでも良い。また、ステップＳ８で“Ｎｏ”の場合に、カード発行装置１は、カード２の前後の向きは正しいがカード２の表裏の向きが反対であることを記憶してカード２の発行処理を開始しても良い。
【０１１４】
上述した形態において、カード発行装置１は、カードリーダ３またはカードリーダ４を備えていなくても良い。また、上述した形態において、ステップＳ５で“Ｎｏ”の場合に、カード異常処理を実行しても良い。この場合であっても、カード２の表裏の向きを判別することが可能になる。また、上述した形態において、カード搬送機構１０は、カード２の表裏を反転させる機能を備えていなくても良い。この場合であっても、カード２の前後の向きを判別することが可能になる。
【０１１５】
上述した形態において、ステップＳ５で“Ｎｏ”の場合に、カード２の表裏を反転させることなく、ステップＳ７に進んでも良い。また、上述した形態では、カード搬送機構１０がカード２の表裏を反転させているが、カード発行装置１は、カード搬送機構１０とは別に、カード２の表裏を反転させるカード反転機構を備えていても良い。また、上述した形態では、カードリーダ３とカードリーダ４とが同様に構成されているが、カードリーダ３の構成とカードリーダ４の構成とが異なっていても良い。
【０１１６】
上述した形態において、カード発行装置１が備えるカード収容部７の数は、４個以下であっても良いし、６個以上であっても良い。また、上述した形態において、カード発行装置１は、３台以上のカードリーダを備えていても良い。また、上述した形態において、カード２にＩＣチップが内蔵されていなくても良いし、カード２は、厚さが０．１８〜０．３６ｍｍ程度のＰＥＴ（ポリエチレンテレフタレート）カードや、所定の厚さの紙カード等であっても良い。
【符号の説明】
【０１１７】
１  カード発行装置
２  カード
２ｂ、２ｄ、２ｅ、２ｋ  磁気ストライプ
２ｈ  外部接続端子
３  カードリーダ（第１カードリーダ）
４  カードリーダ（第２カードリーダ）
５  プリンタ
７  カード収容部
１０  カード搬送機構（カード反転機構）
１３  磁気ヘッド
１４  ＩＣ接点ブロック
３０  スキャナ
Ｓ１〜Ｓ１２  カード向き判別ステップ
Ｓ１  第１記録読取りステップ
Ｓ３  カード反転ステップ
Ｓ４  第２記録読取りステップ
Ｓ６  第２カード反転ステップ
Ｓ７  第３記録読取りステップ
Ｓ１０  第３カード反転ステップ
Ｓ１１  第４記録読取りステップ
Ｘ  カードの幅方向
Ｙ  カードの搬送方向
Ｚ  カードの厚さ方向
【図１】
2018142073.tif 000003
【図２】
2018142073.tif 000004
【図３】
2018142073.tif 000005
【図４】
2018142073.tif 000006
【図５】
2018142073.tif 000007
【図６】
2018142073.tif 000008
【図７】
2018142073.tif 000009
【図８】
2018142073.tif 000010